(57)【要約】【課題】本発明は、上部枠と下部枠からなる芝生保護材で上部枠の頂点が基礎枠より下方になるような基礎枠と上部枠の係合手段の提案である。【解決手段】本発明は、基盤上に敷設される基礎枠と上部枠からなる芝生保護材にあって、それぞれ踏み圧部と透水部からなり、基礎踏み圧部は上端が閉鎖され下端が開放された戴円錐形状の筒部で、前記戴円錐形状の筒部の肩部に段状に下がる段部が設けられ、当該段部と頂部との間に係合孔が設けられ、上部踏み圧部は平坦で中心に基礎踏み圧部頂部に係合可能な空間部が設けられ、上部踏み圧部の縁部には基礎踏み圧部に設けられた段部で支えられる支持部が設けられ、当該支持部には係合用の爪が設けられ、当該係合用の爪が前記段部と頂部との間に設けた係合孔に係合可能とされ且つ上部枠の最上部が基礎踏み圧部の最上部より低く設定された基礎枠と上部枠からなる芝生保護材である。【選択図】図４
2010088393.tif 000002
【特許請求の範囲】
【請求項１】
基盤上に敷設される芝生保護材において、当該芝生保護材は基礎踏み圧部と基礎透水部からなり、基礎踏み圧部は互いに連結され上からの踏み圧を支え、基礎透水部は基礎踏み圧部に囲まれた領域であって、基礎透水部は芝生が育つ育成場所でありとともに雨水が地盤に浸透する場所であり、基礎踏み圧部は上端が閉鎖され下端が開放された戴円錐形状の筒部で、当該筒部内部に上端から下方に垂下する補強板が複数枚設けられることにより基礎踏み圧部が強化された芝生保護材。
【請求項２】
基盤上に敷設される基礎枠と上部枠からなる芝生保護材にあって、基礎枠は基礎踏み圧部と基礎透水部とからなり、基礎踏み圧部は上からの踏み圧を支え、かつ互いに連結され、基礎透水部は基礎踏み圧部に囲まれた領域で、芝生が育つ育成場所であるとともに雨水が地盤に浸透するための場所であり、基礎踏み圧部は上端が閉鎖され下端が開放された戴円錐形状の筒部で、当該筒部内部に上端から下方に垂下する補強板が複数枚設けられ、かつ、前記戴円錐形状の筒部の肩部に段状に下がる段部が設けられ、当該段部と頂部との間に係合孔が設けられ、上部枠は上部踏み圧部と上部透水部とからなり、上部踏み圧部は平坦で中心に基礎踏み圧部頂部に嵌る空間部が設けられ、上部踏み圧部の縁部には基礎踏み圧部に設けられた段部で支えられる支持部が設けられ、当該支持部には係合用の爪が設けられ、当該係合用の爪が前記段部と頂部との間に設けた係合孔に係合可能とされ且つ上部枠の最上部が基礎踏み圧部の最上部より低く設定された基礎枠と上部枠からなる芝生保護材。
【発明の詳細な説明】
【技術分野】
【０００１】
本発明は、強度を高めた芝生保護材の技術に属する。
【背景技術】
【０００２】
芝生やその他の植物を育成させた広場として、ゴルフ場、運動場、公園、庭園、工場の路側、各種の敷地空間内があり、古くは芝生保護のため芝生内は立ち入り禁止とする場合が普通であった。最近では芝生内に立入る人の、あるいは車の踏圧から植物を保護するため踏圧部と透孔部からなる図7ａに示すような芝生保護材（特開平2-145137、特開平4-75541）が各種提案され使用されている。
さらにこれら芝生保護材を用いた際に人の踏圧を和らげるため、芝生保護材上に更に平坦な上部枠を設置し、人の足と上部枠との接触部の面積を大きくし踏圧部からの反力を軽減する図７ｂに示すような芝生保護材が特開平5-56724に開示されている。
基礎枠と上部枠からなる植物保護材の係合方法は、基礎枠上に上部枠を重ねたため、上部枠の頂点が基礎枠の頂点より高くなることがあり、上部枠が直接車などの踏み圧を受け破損することもある。このため上部枠の頂点が基礎枠より下方になるような基礎枠と上部枠の係合方法が求められていた。
【０００３】
【特許文献１】特開平2-145137
【特許文献２】特開平4-75541
【特許文献３】特開平5-56724
【発明の開示】
【発明が解決しようとする課題】
【０００４】
本発明は、上部枠と下部枠からなる芝生保護材で上部枠の頂点が基礎枠より下方になるような基礎枠と上部枠の係合手段の提案である。
【課題を解決するための手段】
【０００５】
本第1の発明は、基盤上に敷設される芝生保護材において、当該芝生保護材は基礎踏み圧部と基礎透水部からなり、基礎踏み圧部は互いに連結され上からの踏み圧を支え、基礎透水部は基礎踏み圧部に囲まれた領域であって、基礎透水部は芝生が育つ育成場所でありとともに雨水が地盤に浸透する場所であり、基礎踏み圧部は上端が閉鎖され下端が開放された戴円錐形状の筒部で、当該筒部内部に上端から下方に垂下する補強板が複数枚設けられることにより基礎踏み圧部が強化された芝生保護材である。
基礎踏み圧部の強度を上げるため基礎踏み圧部内部に複数の補強板を設けた。
本第2の発明は、基盤上に敷設される基礎枠と上部枠からなる芝生保護材にあって、基礎枠は基礎踏み圧部と基礎透水部とからなり、基礎踏み圧部は上からの踏み圧を支え、かつ互いに連結され、基礎透水部は基礎踏み圧部に囲まれた領域で、芝生が育つ育成場所であるとともに雨水が地盤に浸透するための場所であり、基礎踏み圧部は上端が閉鎖され下端が開放された戴円錐形状の筒部で、当該筒部内部に上端から下方に垂下する補強板が複数枚設けられ、かつ、前記戴円錐形状の筒部の肩部に段状に下がる段部が設けられ、当該段部と頂部との間に係合孔が設けられ、上部枠は上部踏み圧部と上部透水部とからなり、上部踏み圧部は平坦で中心に基礎踏み圧部頂部に嵌る空間部が設けられ、上部踏み圧部の縁部には基礎踏み圧部に設けられた段部で支えられる支持部が設けられ、当該支持部には係合用の爪が設けられ、当該係合用の爪が前記段部と頂部との間に設けた係合孔に係合可能とされ且つ上部枠の最上部が基礎踏み圧部の最上部より低く設定された基礎枠と上部枠からなる芝生保護材である。
上部枠の最上部が基礎枠の最上部より低くなるよう、基礎踏み圧部の肩に設けた段部で支えられる上部踏み圧部の縁部に設けた支持部の高さを肩部段部の高さ以下とした。
【発明の効果】
【０００６】
本第1の発明は、基礎踏み圧部内部にその頂部から下方に垂下する補強板を設けたためその強度が増加する。
本第2の発明は、（１）基礎踏み圧部の肩部に段差を設け階段状の段部としたため、その段部で上部踏み圧部の支持部を支えることができる、（２）上部枠の高さを段差以下とし、上部踏み圧部の支持部と基礎踏み圧部の段部に設けた係合具で上部枠と基礎枠が固定されるため上部枠が基礎枠の上方にくることがない。そのため車などの踏み圧によって上部踏み圧部が破損することがない。
【発明を実施するための最良の形態】
【０００７】
以下本発明を図により詳細に説明する。
図１は、本第1の発明を構成する芝生保護材の平面、断面を示す概念図である。図１ａは、基礎踏み圧部を取り出した平面図及び断面図である。図１ｂは基礎踏み圧部を連結した芝生保護材の平面図及び断面図である。
図に示すように本芝生保護材は戴円錐形の基礎踏み圧部を連結した構造を有し、基礎踏み圧部で囲まれた領域が基礎透水部を形成している。基礎踏み圧部は上端が閉鎖され、その上端部より下方に垂下する補強板が図では十字形に設けられている。基礎踏み圧部で囲まれた領域が基礎透水部を形成し、芝生等の植物の育成する場所となり、同時に雨水等が地中に浸透していく場所ともなっていることは従来の芝生保護材と同様である。
【０００８】
図２は、本第2の発明である基礎枠と上部枠とからなる芝生保護材を構成する基礎枠の平面、断面を示す概念図である。
図２ａは、基礎踏み圧部を取り出した平面図及び断面図である。図２ｂは基礎踏み圧部を連結した芝生保護材を構成する基礎枠の平面図及び断面図である。
図２ｃは、後述する上部枠の支持部を支える段部に補強用リブを設け強度を向上させた例を示している。
図に示すように、本基礎枠は基礎踏み圧部の肩部に階段状の段部を設け、閉じた頂部の下方に係合孔が4箇所設けられている。第1の発明の芝生保護材と同様、基礎踏み圧部の内部にその端部より下方に垂下する補強板が図では十字形に設けられている。
【０００９】
図３は、本第2の発明である基礎枠と上部枠とからなる芝生保護材を構成する上部枠の平面、断面を示す概念図である。図３ａは、上部踏み圧部を取り出した平面図及び断面図である。図３ｂは、上部踏み圧部の形状が円ではなく四角形状である上部踏み圧部の平面図及び断面図を示した。図３ｃは、図３ａの上部踏み圧部を連結した芝生保護材を構成する上部枠の平面図及び断面図である。
図に示す例は、本上部枠は平坦な円環を連結した形状を有し、円環が上部踏み圧部を構成し、円環内部および円環に囲まれた領域が上部透水部を構成する。
円環の空部が基礎踏み圧部頂部に嵌る空間部となっている。円環の縁部4箇所に下方に下がる支持部が設けられ、その支持部には上部踏み圧部の係合孔に係合する爪が設けられている。
【００１０】
図４は、上部枠と基礎枠とを係合する状態を示す概念図である。
図４ａは、それぞれの踏み圧部を取り出してその係合を示す図であり、図４ｂは上部枠基礎枠の係合する状態を示す図である。
上部踏み圧部に設けた支持部は基礎踏み圧部の段部上に置かれ、同時に支持部に設けた係合用の爪が方部に設けた係合用の孔に嵌り係合が完了する。この時、支持部の高さは上部枠が基礎踏み圧部の最上部の下に位置するように設定される。そのため図に示すように上部枠は基礎枠の踏み圧部より下方に位置し、踏み圧が直接上部枠に掛からないようになっている。
【００１１】
以下本植物保護材の使用例を記述する。
本第1の発明による植物保護材の使用例を図５ａに示す。
本使用例では従来の踏み圧部と透水部を有する植物保護材と同様、基礎踏み圧部が人あるいは車の踏み圧を支え、基礎透水部が芝生の育成場所及び雨水等を地下に浸透させる場所となっている。従い芝等の植物は透水部から延伸し、踏み圧は踏み圧部で支えられるため踏み圧が新芽に直接掛かることがない。
【００１２】
本第２の発明による植物保護材の使用例を図５ｂに示す。
本使用例では従来の基礎枠と上部枠とからなる芝生保護材と同様、上部踏み圧部及び基礎踏み圧部が対応した位置にあり、上部透水部と基礎透水部とが対応した位置にあり、踏み圧部がが人あるいは車の踏み圧を支え、透水部が芝生の育成場所、延伸する場所及び雨水等を地下に浸透させる場所となっている。かつ基礎踏み圧部の頂部が上部枠より上方にあるため、踏み圧は直接上部踏み圧部に掛かることがないため車などの踏み圧によって上部踏み圧部が破損することがない。
【００１３】
本芝生保護材の材質は、基礎枠はコンクリート製品あるいは射出成形可能なポリオレフィンなどで製造される。上部枠は人の踏圧を軽減するため射出成形可能なポリオレフィンなどで製造される。
【図面の簡単な説明】
【００１４】
【図１】本第1の発明である芝生保護材を示す概念図である。
【図２】本第2の発明である芝生保護材の基礎枠を示す概念図である。
【図３】本第2の発明である芝生保護材の上部枠を示す概念図である。
【図４】基礎枠と上部枠の係合を示す概念図である。
【図５】本芝生保護材の使用例を示す概念図である。
【図６】従来の植物保護材の例を示す概念図である。
【符号の説明】
【００１５】
１  芝生保護材
２  基礎枠
３  上部枠
４  基礎踏み圧部
４１  補強板
４２  補強用リブ
４３  段部
４４  係合孔
５  基礎透水部
６  上部踏み圧部
６１  空間部
６２  支持部
６３  係合用爪
７  上部透水部
８  段部
９  係合孔
１０  空間部
１１  支持部
１２  係合用爪
【図１】
2010088393.tif 000003
【図２】
2010088393.tif 000004
【図３】
2010088393.tif 000005
【図４】
2010088393.tif 000006
【図５】
2010088393.tif 000007
【図６】
2010088393.tif 000008